【手続補正書】
【提出日】平成25年8月21日(2013.8.21)
【手続補正１】
【補正対象書類名】特許請求の範囲
【補正対象項目名】全文
【補正方法】変更
【補正の内容】
【特許請求の範囲】
【請求項１】
公共交通機関の路線網を規定する路線網ネットワーク情報を含む、交通網を規定するネットワーク情報を記憶するネットワーク情報記憶手段と、地図に関する地図情報を記憶する地図情報記憶手段と、出発地と目的地とを含む経路探索条件を満たす上記出発地から上記目的地までの案内経路である基準経路を、上記ネットワーク情報記憶手段に記憶された上記ネットワーク情報を用いて探索し、当該基準経路に関する経路情報である基準経路情報を生成する基準経路探索手段と、上記地図情報上に、上記基準経路探索手段により生成された上記基準経路情報、および、上記ネットワーク情報記憶手段に記憶された上記路線網ネットワーク情報の少なくとも一部を重畳して表示部に表示させる基準経路情報表示手段と、入力部を介して上記表示部に表示された上記路線網ネットワーク情報に含まれる停留地点情報、または、路線情報が選択された場合、当該停留地点情報に基づく停留地点、または、当該路線情報に基づく路線を変更先として設定する変更先設定手段と、上記経路探索条件を満たす上記出発地から上記目的地までの、上記変更先設定手段により設定された上記変更先の種別に基づいて、上記変更先を利用する上記案内経路である変更経路を、上記ネットワーク情報記憶手段に記憶された上記ネットワーク情報を用いて探索し、当該変更経路に関する上記経路情報である変更経路情報を生成する変更経路探索手段と、上記地図情報上に、上記変更経路探索手段により生成された上記変更経路情報を重畳して上記表示部に表示させる変更経路情報表示手段と、を備えたことを特徴とする、ナビゲーションシステム。
【請求項２】
請求項１に記載のナビゲーションシステムであって、上記変更経路探索手段は、上記変更先が上記停留地点である場合、当該停留地点に接続する上記路線を利用する上記案内経路である上記変更経路を探索することを特徴とする、ナビゲーションシステム。
【請求項３】
請求項１に記載のナビゲーションシステムであって、上記変更経路探索手段は、上記変更先が上記路線である場合、少なくとも当該路線の１区間を利用する上記案内経路である上記変更経路を探索することを特徴とする、ナビゲーションシステム。
【請求項４】
表示部と入力部と制御部と記憶部とを少なくとも備えたナビゲーション装置であって、上記記憶部は、公共交通機関の路線網を規定する路線網ネットワーク情報を含む、交通網を規定するネットワーク情報を記憶するネットワーク情報記憶手段と、地図に関する地図情報を記憶する地図情報記憶手段と、を備え、上記制御部は、出発地と目的地とを含む経路探索条件を満たす上記出発地から上記目的地までの案内経路である基準経路を、上記ネットワーク情報記憶手段に記憶された上記ネットワーク情報を用いて探索し、当該基準経路に関する経路情報である基準経路情報を生成する基準経路探索手段と、上記地図情報上に、上記基準経路探索手段により生成された上記基準経路情報、および、上記ネットワーク情報記憶手段に記憶された上記路線網ネットワーク情報の少なくとも一部を重畳して上記表示部に表示させる基準経路情報表示手段と、上記入力部を介して上記表示部に表示された上記路線網ネットワーク情報に含まれる停留地点情報、または、路線情報が選択された場合、当該停留地点情報に基づく停留地点、または、当該路線情報に基づく路線を変更先として設定する変更先設定手段と、上記経路探索条件を満たす上記出発地から上記目的地までの、上記変更先設定手段により設定された上記変更先の種別に基づいて、上記変更先を利用する上記案内経路である変更経路を、上記ネットワーク情報記憶手段に記憶された上記ネットワーク情報を用いて探索し、当該変更経路に関する上記経路情報である変更経路情報を生成する変更経路探索手段と、上記地図情報上に、上記変更経路探索手段により生成された上記変更経路情報を重畳して上記表示部に表示させる変更経路情報表示手段と、を備えたことを特徴とする、ナビゲーション装置。
【請求項５】
制御部と記憶部とを少なくとも備えたナビゲーションサーバ、および、表示部と入力部と制御部とを少なくとも備えた端末装置、を通信可能に接続したナビゲーションシステムであって、上記ナビゲーションサーバの上記記憶部は、公共交通機関の路線網を規定する路線網ネットワーク情報を含む、交通網を規定するネットワーク情報を記憶するネットワーク情報記憶手段と、地図に関する地図情報を記憶する地図情報記憶手段と、を備え、上記ナビゲーションサーバの上記制御部は、上記端末装置から送信される出発地と目的地とを含む経路探索条件を満たす上記出発地から上記目的地までの案内経路である基準経路を、上記ネットワーク情報記憶手段に記憶された上記ネットワーク情報を用いて探索し、当該基準経路に関する経路情報である基準経路情報を生成する基準経路探索手段と、上記地図情報、上記基準経路探索手段により生成された上記基準経路情報、および、上記ネットワーク情報記憶手段に記憶された上記路線網ネットワーク情報を上記端末装置に送信する基準経路情報送信手段と、上記端末装置の上記入力部を介して上記端末装置の上記表示部に表示された上記路線網ネットワーク情報に含まれる停留地点情報、または、路線情報が選択された場合、上記端末装置から送信される当該停留地点情報、または、当該路線情報を受信する選択情報受信手段と、上記選択情報受信手段により受信された、上記停留地点情報に基づく停留地点、または、上記路線情報に基づく路線を変更先として設定する変更先設定手段と、上記経路探索条件を満たす上記出発地から上記目的地までの、上記変更先設定手段により設定された上記変更先の種別に基づいて、上記変更先を利用する上記案内経路である変更経路を、上記ネットワーク情報記憶手段に記憶された上記ネットワーク情報を用いて探索し、当該変更経路に関する上記経路情報である変更経路情報を生成する変更経路探索手段と、上記地図情報、および、上記変更経路探索手段により生成された上記変更経路情報を上記端末装置に送信する変更経路情報送信手段と、を備え、上記端末装置の上記制御部は、上記ナビゲーションサーバから送信される上記地図情報、上記基準経路情報、および、上記路線網ネットワーク情報を受信する基準経路情報受信手段と、上記地図情報上に、上記基準経路情報受信手段により受信された上記基準経路情報、および、上記路線網ネットワーク情報の少なくとも一部を重畳して上記表示部に表示させる基準経路情報表示手段と、上記ナビゲーションサーバから送信される上記地図情報、および、上記変更経路情報を受信する変更経路情報受信手段と、上記地図情報上に、上記変更経路情報受信手段により受信された上記変更経路情報を重畳して上記表示部に表示させる変更経路情報表示手段と、を備えたことを特徴とする、ナビゲーションシステム。
【請求項６】
表示部と入力部とを少なくとも備えた端末装置に通信可能に接続された、制御部と記憶部とを少なくとも備えたナビゲーションサーバであって、上記記憶部は、公共交通機関の路線網を規定する路線網ネットワーク情報を含む、交通網を規定するネットワーク情報を記憶するネットワーク情報記憶手段と、地図に関する地図情報を記憶する地図情報記憶手段と、を備え、上記制御部は、上記端末装置から送信される出発地と目的地とを含む経路探索条件を満たす上記出発地から上記目的地までの案内経路である基準経路を、上記ネットワーク情報記憶手段に記憶された上記ネットワーク情報を用いて探索し、当該基準経路に関する経路情報である基準経路情報を生成する基準経路探索手段と、上記地図情報上に、上記基準経路探索手段により生成された上記基準経路情報、および、上記ネットワーク情報記憶手段に記憶された上記路線網ネットワーク情報の少なくとも一部を重畳した表示情報を生成する基準表示情報生成手段と、上記表示情報を含む出力制御情報を上記端末装置へ送信することにより、当該表示情報を当該端末装置の上記表示部に表示させる出力制御手段と、上記端末装置の上記入力部を介して上記端末装置の上記表示部に表示された上記路線網ネットワーク情報に含まれる停留地点情報、または、路線情報が選択された場合、当該選択に基づき、当該停留地点情報、または、当該路線情報を取得する選択情報取得手段と、上記選択情報取得手段により取得された、上記停留地点情報に基づく停留地点、または、上記路線情報に基づく路線を変更先として設定する変更先設定手段と、上記経路探索条件を満たす上記出発地から上記目的地までの、上記変更先設定手段により設定された上記変更先の種別に基づいて、上記変更先を利用する上記案内経路である変更経路を、上記ネットワーク情報記憶手段に記憶された上記ネットワーク情報を用いて探索し、当該変更経路に関する上記経路情報である変更経路情報を生成する変更経路探索手段と、上記地図情報上に、上記変更経路探索手段により生成された上記変更経路情報を重畳した上記表示情報を生成する変更表示情報生成手段と、を備えたことを特徴とする、ナビゲーションサーバ。
【請求項７】
表示部と入力部と制御部と記憶部とを少なくとも備えたナビゲーション装置において実行されるナビゲーション方法であって、上記記憶部は、公共交通機関の路線網を規定する路線網ネットワーク情報を含む、交通網を規定するネットワーク情報を記憶するネットワーク情報記憶手段と、地図に関する地図情報を記憶する地図情報記憶手段と、を備え、上記制御部において実行される、出発地と目的地とを含む経路探索条件を満たす上記出発地から上記目的地までの案内経路である基準経路を、上記ネットワーク情報記憶手段に記憶された上記ネットワーク情報を用いて探索し、当該基準経路に関する経路情報である基準経路情報を生成する基準経路探索ステップと、上記地図情報上に、上記基準経路探索ステップにて生成された上記基準経路情報、および、上記ネットワーク情報記憶手段に記憶された上記路線網ネットワーク情報の少なくとも一部を重畳して上記表示部に表示させる基準経路情報表示ステップと、上記入力部を介して上記表示部に表示された上記路線網ネットワーク情報に含まれる停留地点情報、または、路線情報が選択された場合、当該停留地点情報に基づく停留地点、または、当該路線情報に基づく路線を変更先として設定する変更先設定ステップと、上記経路探索条件を満たす上記出発地から上記目的地までの、上記変更先設定ステップにて設定された上記変更先の種別に基づいて、上記変更先を利用する上記案内経路である変更経路を、上記ネットワーク情報記憶手段に記憶された上記ネットワーク情報を用いて探索し、当該変更経路に関する上記経路情報である変更経路情報を生成する変更経路探索ステップと、上記地図情報上に、上記変更経路探索ステップにて生成された上記変更経路情報を重畳して上記表示部に表示させる変更経路情報表示ステップと、を含むことを特徴とする、ナビゲーション方法。
【請求項８】
ナビゲーションシステムにおいて実行されるナビゲーション方法であって、上記ナビゲーションシステムは、公共交通機関の路線網を規定する路線網ネットワーク情報を含む、交通網を規定するネットワーク情報を記憶するネットワーク情報記憶手段と、地図に関する地図情報を記憶する地図情報記憶手段と、基準経路探索手段と、基準経路情報表示手段と、変更先設定手段と、変更経路探索手段と、変更経路情報表示手段と、を備え、上記基準経路探索手段が、出発地と目的地とを含む経路探索条件を満たす上記出発地から上記目的地までの案内経路である基準経路を、上記ネットワーク情報記憶手段に記憶された上記ネットワーク情報を用いて探索し、当該基準経路に関する経路情報である基準経路情報を生成する基準経路探索ステップと、上記基準経路情報表示手段が、上記地図情報上に、上記基準経路探索ステップにて生成された上記基準経路情報、および、上記ネットワーク情報記憶手段に記憶された上記路線網ネットワーク情報の少なくとも一部を重畳して表示部に表示させる基準経路情報表示ステップと、上記変更先設定手段が、入力部を介して上記表示部に表示された上記路線網ネットワーク情報に含まれる停留地点情報、または、路線情報が選択された場合、当該停留地点情報に基づく停留地点、または、当該路線情報に基づく路線を変更先として設定する変更先設定ステップと、上記変更経路探索手段が、上記経路探索条件を満たす上記出発地から上記目的地までの、上記変更先設定ステップにて設定された上記変更先の種別に基づいて、上記変更先を利用する上記案内経路である変更経路を、上記ネットワーク情報記憶手段に記憶された上記ネットワーク情報を用いて探索し、当該変更経路に関する上記経路情報である変更経路情報を生成する変更経路探索ステップと、上記変更経路情報表示手段が、上記地図情報上に、上記変更経路探索ステップにて生成された上記変更経路情報を重畳して上記表示部に表示させる変更経路情報表示ステップと、を含むことを特徴とする、ナビゲーション方法。
【請求項９】
制御部と記憶部とを少なくとも備えたナビゲーションサーバ、および、表示部と入力部と制御部とを少なくとも備えた端末装置、を通信可能に接続したナビゲーションシステムにおいて実行されるナビゲーション方法であって、上記ナビゲーションサーバの上記記憶部は、公共交通機関の路線網を規定する路線網ネットワーク情報を含む、交通網を規定するネットワーク情報を記憶するネットワーク情報記憶手段と、地図に関する地図情報を記憶する地図情報記憶手段と、を備え、上記ナビゲーションサーバの上記制御部において実行される、上記端末装置から送信される出発地と目的地とを含む経路探索条件を満たす上記出発地から上記目的地までの案内経路である基準経路を、上記ネットワーク情報記憶手段に記憶された上記ネットワーク情報を用いて探索し、当該基準経路に関する経路情報である基準経路情報を生成する基準経路探索ステップと、上記ナビゲーションサーバの上記制御部において実行される、上記地図情報、上記基準経路探索ステップにて生成された上記基準経路情報、および、上記ネットワーク情報記憶手段に記憶された上記路線網ネットワーク情報を上記端末装置に送信する基準経路情報送信ステップと、上記端末装置の上記制御部において実行される、上記ナビゲーションサーバから送信される上記地図情報、上記基準経路情報、および、上記路線網ネットワーク情報を受信する基準経路情報受信ステップと、上記端末装置の上記制御部において実行される、上記地図情報上に、上記基準経路情報受信ステップにて受信された上記基準経路情報、および、上記路線網ネットワーク情報の少なくとも一部を重畳して上記表示部に表示させる基準経路情報表示ステップと、上記ナビゲーションサーバの上記制御部において実行される、上記端末装置の上記入力部を介して上記端末装置の上記表示部に表示された上記路線網ネットワーク情報に含まれる停留地点情報、または、路線情報が選択された場合、上記端末装置から送信される当該停留地点情報、または、当該路線情報を受信する選択情報受信ステップと、上記ナビゲーションサーバの上記制御部において実行される、上記選択情報受信ステップにて受信された、上記停留地点情報に基づく停留地点、または、上記路線情報に基づく路線を変更先として設定する変更先設定ステップと、上記ナビゲーションサーバの上記制御部において実行される、上記経路探索条件を満たす上記出発地から上記目的地までの、上記変更先設定ステップにて設定された上記変更先の種別に基づいて、上記変更先を利用する上記案内経路である変更経路を、上記ネットワーク情報記憶手段に記憶された上記ネットワーク情報を用いて探索し、当該変更経路に関する上記経路情報である変更経路情報を生成する変更経路探索ステップと、上記ナビゲーションサーバの上記制御部において実行される、上記地図情報、および、上記変更経路探索ステップにて生成された上記変更経路情報を上記端末装置に送信する変更経路情報送信ステップと、上記端末装置の上記制御部において実行される、上記ナビゲーションサーバから送信される上記地図情報、および、上記変更経路情報を受信する変更経路情報受信ステップと、上記端末装置の上記制御部において実行される、上記地図情報上に、上記変更経路情報受信ステップにて受信された上記変更経路情報を重畳して上記表示部に表示させる変更経路情報表示ステップと、を含むことを特徴とする、ナビゲーション方法。
【請求項１０】
表示部と入力部とを少なくとも備えた端末装置に通信可能に接続された、制御部と記憶部とを少なくとも備えたナビゲーションサーバにおいて実行されるナビゲーション方法であって、上記記憶部は、公共交通機関の路線網を規定する路線網ネットワーク情報を含む、交通網を規定するネットワーク情報を記憶するネットワーク情報記憶手段と、地図に関する地図情報を記憶する地図情報記憶手段と、を備え、上記制御部において実行される、上記端末装置から送信される出発地と目的地とを含む経路探索条件を満たす上記出発地から上記目的地までの案内経路である基準経路を、上記ネットワーク情報記憶手段に記憶された上記ネットワーク情報を用いて探索し、当該基準経路に関する経路情報である基準経路情報を生成する基準経路探索ステップと、上記地図情報上に、上記基準経路探索ステップにて生成された上記基準経路情報、および、上記ネットワーク情報記憶手段に記憶された上記路線網ネットワーク情報の少なくとも一部を重畳した表示情報を生成する基準表示情報生成ステップと、上記表示情報を含む出力制御情報を上記端末装置へ送信することにより、当該表示情報を当該端末装置の上記表示部に表示させる出力制御ステップと、上記端末装置の上記入力部を介して上記端末装置の上記表示部に表示された上記路線網ネットワーク情報に含まれる停留地点情報、または、路線情報が選択された場合、当該選択に基づき、当該停留地点情報、または、当該路線情報を取得する選択情報取得ステップと、上記選択情報取得ステップにて取得された、上記停留地点情報に基づく停留地点、または、上記路線情報に基づく路線を変更先として設定する変更先設定ステップと、上記経路探索条件を満たす上記出発地から上記目的地までの、上記変更先設定ステップにて設定された上記変更先の種別に基づいて、上記変更先を利用する上記案内経路である変更経路を、上記ネットワーク情報記憶手段に記憶された上記ネットワーク情報を用いて探索し、当該変更経路に関する上記経路情報である変更経路情報を生成する変更経路探索ステップと、上記地図情報上に、上記変更経路探索ステップにて生成された上記変更経路情報を重畳した上記表示情報を生成する変更表示情報生成ステップと、を含むことを特徴とする、ナビゲーション方法。
【請求項１１】
表示部と入力部と制御部と記憶部とを少なくとも備えたナビゲーション装置に実行させるためのプログラムであって、上記記憶部は、公共交通機関の路線網を規定する路線網ネットワーク情報を含む、交通網を規定するネットワーク情報を記憶するネットワーク情報記憶手段と、地図に関する地図情報を記憶する地図情報記憶手段と、を備え、上記制御部において、出発地と目的地とを含む経路探索条件を満たす上記出発地から上記目的地までの案内経路である基準経路を、上記ネットワーク情報記憶手段に記憶された上記ネットワーク情報を用いて探索し、当該基準経路に関する経路情報である基準経路情報を生成する基準経路探索ステップと、上記地図情報上に、上記基準経路探索ステップにて生成された上記基準経路情報、および、上記ネットワーク情報記憶手段に記憶された上記路線網ネットワーク情報の少なくとも一部を重畳して上記表示部に表示させる基準経路情報表示ステップと、上記入力部を介して上記表示部に表示された上記路線網ネットワーク情報に含まれる停留地点情報、または、路線情報が選択された場合、当該停留地点情報に基づく停留地点、または、当該路線情報に基づく路線を変更先として設定する変更先設定ステップと、上記経路探索条件を満たす上記出発地から上記目的地までの、上記変更先設定ステップにて設定された上記変更先の種別に基づいて、上記変更先を利用する上記案内経路である変更経路を、上記ネットワーク情報記憶手段に記憶された上記ネットワーク情報を用いて探索し、当該変更経路に関する上記経路情報である変更経路情報を生成する変更経路探索ステップと、上記地図情報上に、上記変更経路探索ステップにて生成された上記変更経路情報を重畳して上記表示部に表示させる変更経路情報表示ステップと、を実行させるためのプログラム。
【請求項１２】
表示部と入力部とを少なくとも備えた端末装置に通信可能に接続された、制御部と記憶部とを少なくとも備えたナビゲーションサーバに実行させるためのプログラムであって、上記記憶部は、公共交通機関の路線網を規定する路線網ネットワーク情報を含む、交通網を規定するネットワーク情報を記憶するネットワーク情報記憶手段と、地図に関する地図情報を記憶する地図情報記憶手段と、を備え、上記制御部において、上記端末装置から送信される出発地と目的地とを含む経路探索条件を満たす上記出発地から上記目的地までの案内経路である基準経路を、上記ネットワーク情報記憶手段に記憶された上記ネットワーク情報を用いて探索し、当該基準経路に関する経路情報である基準経路情報を生成する基準経路探索ステップと、上記地図情報、上記基準経路探索ステップにて生成された上記基準経路情報、および、上記ネットワーク情報記憶手段に記憶された上記路線網ネットワーク情報を上記端末装置に送信する基準経路情報送信ステップと、上記端末装置の上記入力部を介して上記端末装置の上記表示部に表示された上記路線網ネットワーク情報に含まれる停留地点情報、または、路線情報が選択された場合、上記端末装置から送信される当該停留地点情報、または、当該路線情報を受信する選択情報受信ステップと、上記選択情報受信ステップにて受信された、上記停留地点情報に基づく停留地点、または、上記路線情報に基づく路線を変更先として設定する変更先設定ステップと、上記経路探索条件を満たす上記出発地から上記目的地までの、上記変更先設定ステップにて設定された上記変更先の種別に基づいて、上記変更先を利用する上記案内経路である変更経路を、上記ネットワーク情報記憶手段に記憶された上記ネットワーク情報を用いて探索し、当該変更経路に関する上記経路情報である変更経路情報を生成する変更経路探索ステップと、上記地図情報、および、上記変更経路探索ステップにて生成された上記変更経路情報を上記端末装置に送信する変更経路情報送信ステップと、を実行させるためのプログラム。
【請求項１３】
表示部と入力部とを少なくとも備えた端末装置に通信可能に接続された、制御部と記憶部とを少なくとも備えたナビゲーションサーバに実行させるためのプログラムであって、上記記憶部は、公共交通機関の路線網を規定する路線網ネットワーク情報を含む、交通網を規定するネットワーク情報を記憶するネットワーク情報記憶手段と、地図に関する地図情報を記憶する地図情報記憶手段と、を備え、上記制御部において、上記端末装置から送信される出発地と目的地とを含む経路探索条件を満たす上記出発地から上記目的地までの案内経路である基準経路を、上記ネットワーク情報記憶手段に記憶された上記ネットワーク情報を用いて探索し、当該基準経路に関する経路情報である基準経路情報を生成する基準経路探索ステップと、上記地図情報上に、上記基準経路探索ステップにて生成された上記基準経路情報、および、上記ネットワーク情報記憶手段に記憶された上記路線網ネットワーク情報の少なくとも一部を重畳した表示情報を生成する基準表示情報生成ステップと、上記表示情報を含む出力制御情報を上記端末装置へ送信することにより、当該表示情報を当該端末装置の上記表示部に表示させる出力制御ステップと、上記端末装置の上記入力部を介して上記端末装置の上記表示部に表示された上記路線網ネットワーク情報に含まれる停留地点情報、または、路線情報が選択された場合、当該選択に基づき、当該停留地点情報、または、当該路線情報を取得する選択情報取得ステップと、上記選択情報取得ステップにて取得された、上記停留地点情報に基づく停留地点、または、上記路線情報に基づく路線を変更先として設定する変更先設定ステップと、上記経路探索条件を満たす上記出発地から上記目的地までの、上記変更先設定ステップにて設定された上記変更先の種別に基づいて、上記変更先を利用する上記案内経路である変更経路を、上記ネットワーク情報記憶手段に記憶された上記ネットワーク情報を用いて探索し、当該変更経路に関する上記経路情報である変更経路情報を生成する変更経路探索ステップと、上記地図情報上に、上記変更経路探索ステップにて生成された上記変更経路情報を重畳した上記表示情報を生成する変更表示情報生成ステップと、を実行させるためのプログラム。